【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】
遊技台における遊技に関連して発生する遊技関連情報を収集して管理する遊技用管理装置であって、
遊技台の台番号に対応付けて、当該台番号の遊技台の遊技関連情報を記憶する遊技関連情報記憶手段と、
配置替え元の台番号の範囲と配置替え先の台番号の範囲を指定する配置替え対象指定手段と、
該配置替え対象指定手段による指定に基づいて、前記遊技関連情報記憶手段において配置替え元の台番号に対応付けて記憶されている遊技関連情報を前記配置替え先の台番号に対応付け、該配置替え先の台番号に対応付けて記憶されている遊技関連情報を配置替え元の台番号に対応付ける対応付入替手段と、
新台を設置する台番号の範囲を指定する新台指定手段と、を備え、
前記遊技関連情報記憶手段は、前記対応付入替手段による対応付けの入替えに基づいて、前記配置替え元の台番号および配置替え先の台番号に対応付けられた遊技関連情報に引き続いて、当該対応付け入替後の遊技関連情報を記憶し、前記新台指定手段による指定に基づいて、指定された範囲の台番号に対応付けて記憶している遊技関連情報に代えて、該新台指定手段による指定後の遊技関連情報を新たに記憶することを特徴とする遊技用管理装置。
【請求項２】
請求項１に記載した遊技用管理装置であって、
前記遊技関連情報記憶手段は、前記台番号に対応付けて、当該台番号の遊技台の機種を特定可能な機種特定情報を記憶し、
継続台とする台番号の範囲および前記機種特定情報を指定する継続台指定手段を備え、
前記遊技関連情報記憶手段は、前記継続台指定手段により指定された範囲の台番号に対応付けて、指定された機種特定情報から特定される機種の遊技関連情報に引き続いて該継続台指定手段による指定後の遊技関連情報を記憶することを特徴とする遊技用管理装置。
【請求項３】
請求項１または２に記載した遊技用管理装置であって、
前記新台指定手段は、新台を設置する台番号の範囲として、先頭の台番号と、終了の台番号または台数とを指定することを特徴とする遊技用管理装置。
【請求項４】
請求項１または２に記載した遊技用管理装置であって、
前記新台指定手段は、新台を設置する台番号の範囲として、新台を設置する遊技島を指定することを特徴とする遊技用管理装置。
【手続補正２】
【補正対象書類名】明細書
【補正対象項目名】０００６
【補正方法】変更
【補正の内容】
【０００６】
まず請求項１に係る発明は、遊技台における遊技に関連して発生する遊技関連情報を収集して管理する遊技用管理装置であって、遊技台の台番号に対応付けて、当該台番号の遊技台の遊技関連情報を記憶する遊技関連情報記憶手段と、配置替え元の台番号の範囲と配置替え先の台番号の範囲を指定する配置替え対象指定手段と、該配置替え対象指定手段による指定に基づいて、前記遊技関連情報記憶手段において配置替え元の台番号に対応付けて記憶されている遊技関連情報を前記配置替え先の台番号に対応付け、該配置替え先の台番号に対応付けて記憶されている遊技関連情報を配置替え元の台番号に対応付ける対応付入替手段と、新台を設置する台番号の範囲を指定する新台指定手段と、を備え、前記遊技関連情報記憶手段は、前記対応付入替手段による対応付けの入替えに基づいて、前記配置替え元の台番号および配置替え先の台番号に対応付けられた遊技関連情報に引き続いて、当該対応付け入替後の遊技関連情報を記憶し、前記新台指定手段による指定に基づいて、指定された範囲の台番号に対応付けて記憶している遊技関連情報に代えて、該新台指定手段による指定後の遊技関連情報を新たに記憶することを特徴とする遊技用管理装置である。
【手続補正３】
【補正対象書類名】明細書
【補正対象項目名】０００７
【補正方法】変更
【補正の内容】
【０００７】
また請求項２に係る発明は、請求項１に記載した遊技用管理装置であって、前記遊技関連情報記憶手段は、前記台番号に対応付けて、当該台番号の遊技台の機種を特定可能な機種特定情報を記憶し、継続台とする台番号の範囲および前記機種特定情報を指定する継続台指定手段を備え、前記遊技関連情報記憶手段は、前記継続台指定手段により指定された範囲の台番号に対応付けて、指定された機種特定情報から特定される機種の遊技関連情報に引き続いて該継続台指定手段による指定後の遊技関連情報を記憶することを特徴とする遊技用管理装置である。
【手続補正４】
【補正対象書類名】明細書
【補正対象項目名】０００８
【補正方法】変更
【補正の内容】
【０００８】
また請求項３に係る発明は、請求項１または２に記載した遊技用管理装置であって、前記新台指定手段は、新台を設置する台番号の範囲として、先頭の台番号と、終了の台番号または台数とを指定することを特徴とする遊技用管理装置である。
【手続補正５】
【補正対象書類名】明細書
【補正対象項目名】０００９
【補正方法】変更
【補正の内容】
【０００９】
さらに請求項４に係る発明は、請求項１または２に記載した遊技用管理装置であって、前記新台指定手段は、新台を設置する台番号の範囲として、新台を設置する遊技島を指定することを特徴とする遊技用管理装置である。
【手続補正６】
【補正対象書類名】明細書
【補正対象項目名】００８８
【補正方法】変更
【補正の内容】
【００８８】
まず請求項１に係る発明は、遊技台（パチンコ台Ｐ）における遊技に関連して発生する遊技関連情報を収集して管理する遊技用管理装置（３０）であって、遊技台の台番号に対応付けて、当該台番号の遊技台の遊技関連情報を記憶する遊技関連情報記憶手段（遊技台関連情報ＤＢ３３ａ）と、配置替え元の台番号の範囲と配置替え先の台番号の範囲を指定する配置替え対象指定手段（ディスプレイ３４及び入力装置３５）と、該配置替え対象指定手段による指定に基づいて、前記遊技関連情報記憶手段において配置替え元の台番号に対応付けて記憶されている遊技関連情報を前記配置替え先の台番号に対応付け、該配置替え先の台番号に対応付けて記憶されている遊技関連情報を配置替え元の台番号に対応付ける対応付入替手段（制御部３２）と、新台を設置する台番号の範囲を指定する新台指定手段（ディスプレイ３４及び入力装置３５）と、を備え、前記遊技関連情報記憶手段は、前記対応付入替手段による対応付けの入替えに基づいて、前記配置替え元の台番号および配置替え先の台番号に対応付けられた遊技関連情報に引き続いて、当該対応付け入替後の遊技関連情報を記憶し、前記新台指定手段による指定に基づいて、指定された範囲の台番号に対応付けて記憶している遊技関連情報に代えて、該新台指定手段による指定後の遊技関連情報を新たに記憶することを特徴とする遊技用管理装置である。
【手続補正７】
【補正対象書類名】明細書
【補正対象項目名】００８９
【補正方法】変更
【補正の内容】
【００８９】
また請求項２に係る発明は、請求項１に記載した遊技用管理装置（３０）であって、前記遊技関連情報記憶手段（遊技台関連情報ＤＢ３３ａ）は、前記台番号に対応付けて、当該台番号の遊技台の機種を特定可能な機種特定情報を記憶し、継続台とする台番号の範囲および前記機種特定情報を指定する継続台指定手段（ディスプレイ３４及び入力装置３５）を備え、前記遊技関連情報記憶手段は、前記継続台指定手段により指定された範囲の台番号に対応付けて、指定された機種特定情報から特定される機種の遊技関連情報に引き続いて該継続台指定手段による指定後の遊技関連情報を記憶することを特徴とする遊技用管理装置である。
【手続補正８】
【補正対象書類名】明細書
【補正対象項目名】００９０
【補正方法】変更
【補正の内容】
【００９０】
また請求項３に係る発明は、請求項１または２に記載した遊技用管理装置（３０）であって、前記新台指定手段（ディスプレイ３４及び入力装置３５）は、新台を設置する台番号の範囲として、先頭の台番号と、終了の台番号または台数とを指定することを特徴とする遊技用管理装置である。
【手続補正９】
【補正対象書類名】明細書
【補正対象項目名】００９１
【補正方法】変更
【補正の内容】
【００９１】
さらに請求項４に係る発明は、請求項１または２に記載した遊技用管理装置（３０）であって、前記新台指定手段（ディスプレイ３４及び入力装置３５）は、新台を設置する台番号の範囲として、新台を設置する遊技島を指定することを特徴とする遊技用管理装置である。
【手続補正１０】
【補正対象書類名】明細書
【補正対象項目名】００９７
【補正方法】変更
【補正の内容】
【００９７】
上記の実施形態では、図９に示す台機種設定画面において、デフォルト設定として「新台フラグ」の指定領域に継続台を示す１が入力されている例について説明したが、これに限らず、デフォルト設定として「新台フラグ」の指定領域に新台を示す０が入力されているようにしても良い。この場合には、例えば図１１〜図１４に示す配置替えが行われた場合において、前述した説明とは逆に、新台については図９に示す台機種設定画面で該「新台フラグ」の指定領域に新台を示す０を入力する必要がない一方で、継続台については図９に示す台機種設定画面で該「新台フラグ」の指定領域に継続台を示す１を入力する必要がある。
【手続補正１１】
【補正対象書類名】明細書
【補正対象項目名】００９９
【補正方法】変更
【補正の内容】
【００９９】
まず請求項１に係る遊技用管理装置によれば、配置替えの対象となった遊技台については、配置替え元の台番号の範囲と配置替え先の台番号の範囲を指定することにより、配置替え前の遊技関連情報に引き続いて配置替え後の遊技関連情報を累積的に収集して管理でき、新台については、新台を設置する台番号の範囲を指定することにより、該指定された範囲の台番号に対応付けて記憶している遊技関連情報に代えて該指定後の遊技関連情報を新たに収集して管理できる。
【手続補正１２】
【補正対象書類名】明細書
【補正対象項目名】０１００
【補正方法】変更
【補正の内容】
【０１００】
また請求項２に係る遊技用管理装置によれば、継続台については、指定された範囲の台番号に対応付けて、指定された機種の遊技関連情報に引き続いて該指定後の遊技関連情報を収集して管理できる。
【手続補正１３】
【補正対象書類名】明細書
【補正対象項目名】０１０１
【補正方法】変更
【補正の内容】
【０１０１】
また請求項３に係る遊技用管理装置によれば、新台指定手段により新台を設置する台番号の範囲を指定する場合に、先頭の台番号と、終了の台番号または台数を指定するだけで良いため、該指定に要する労力が大幅に軽減される。
【手続補正１４】
【補正対象書類名】明細書
【補正対象項目名】０１０２
【補正方法】変更
【補正の内容】
【０１０２】
さらに請求項４に係る遊技用管理装置によれば、新台指定手段により新台を設置する台番号の範囲を指定する場合に、新台を設置する遊技島を指定するだけで良いため、該指定に要する労力が大幅に軽減される。